(57)【要約】【課題】  輝度低下を抑制し、バックライト光の出射効率を向上させることができる電気光学装置、照明装置、及び電子機器を提供する。【解決手段】  複数の画素を備える電気光学パネルと、導光板及び光源を備えて電気光学パネルに対して照明光を照射する照明装置と、を備えた電気光学装置であって、導光板は、光入射面又は当該光入射面の反対側の面に直線状の突条を有し、照明装置と電気光学パネルとの間に、断面三角形状かつ直線状の複数の突条が配列形成されたプリズム面を有するプリズムシートが、プリズム面を電気光学パネルと反対向きにして配置され、導光板における複数の突条の稜線、及び、プリズムシートにおける複数の突条の稜線は、平行に配置され、導光板及びプリズムシートにおける突条の稜線４０と、電気光学パネルの画素の配列方向２１ａは、１°以上の角度で交差していること、を特徴とする。【選択図】  図３
2006276621.tif 000002
【特許請求の範囲】
【請求項１】
第１基板及び第２基板の間に挟持された電気光学物質と、前記第１基板及び前記第２基板の外側に各々配設された第１偏光板及び第２偏光板とを有し、複数の画素を備える電気光学パネルと、
導光板及び光源を備えて前記電気光学パネルに対して照明光を照射する照明装置と、
を備えた電気光学装置であって、
前記導光板は、前記電気光学パネルに対して前記照明光を入射させる光入射面、又は当該光入射面の反対側の面に、複数配列して形成された直線状の突条を有し、
前記照明装置と前記電気光学パネルとの間に、断面三角形状かつ直線状の複数の突条が配列形成されたプリズム面を有するプリズムシートが、前記プリズム面を前記電気光学パネルと反対向きにして配置され、
前記導光板における複数の突条の稜線、及び、前記プリズムシートにおける複数の突条の稜線は、平行に配置され、
前記導光板及び前記プリズムシートにおける前記突条の稜線と、前記電気光学パネルの前記画素の配列方向は、１°以上の角度で交差していること、
を特徴とする電気光学装置。
【請求項２】
前記導光板及び前記プリズムシートにおける前記突条の稜線と、前記電気光学パネルの前記画素の配列方向は、２〜１０°の角度で交差していること、
を特徴とする請求項１に記載の電気光学装置。
【請求項３】
前記電気光学パネルと前記プリズムシートとの間に拡散シートが設けられていること、
を特徴とする請求項１又は請求項２に記載の電気光学装置。
【請求項４】
前記電気光学パネルと前記プリズムシートとの間に反射偏光子が設けられていること、
を特徴とする請求項１又は請求項２に記載の電気光学装置。
【請求項５】
前記電気光学パネルと前記反射偏光子との間に光散乱樹脂層が設けられていること、
を特徴とする請求項４に記載の電気光学装置。
【請求項６】
導光板及び光源を備えて電気光学パネルに対して照明光を照射する照明装置であって、
前記導光板は、前記電気光学パネルに対して前記照明光を入射させる光入射面、又は当該光入射面の反対側の面に、複数配列して形成された直線状の突条を有し、
前記導光板と前記電気光学パネルとの間に、断面三角形状かつ直線状の複数の突条が配列形成されたプリズム面を有するプリズムシートが、前記プリズム面を前記電気光学パネルと反対向きにして配置され、
前記導光板における複数の突条の稜線、及び、前記プリズムシートにおける複数の突条の稜線は、平行に配置され、
前記導光板及び前記プリズムシートにおける前記突条の稜線と、前記電気光学パネルの前記画素の配列方向は、１°以上の角度で交差していること、
を特徴とする照明装置。
【請求項７】
請求項１から請求項５のいずれか一項に記載の電気光学装置を備えたこと、
を特徴とする電子機器。
【発明の詳細な説明】
【技術分野】
【０００１】
本発明は、電気光学装置、照明装置、及び電子機器に関するものである。
【背景技術】
【０００２】
従来、電気光学装置として、液晶表示装置が知られている。その中でも、透過型液晶表示装置は、液晶パネルの背面側にバックライトを備えた構成のものが一般に知られており、この種のバックライトとしては、透明な導光板の側端面に冷陰極管や発光ダイオードなどからなる光源と、この光源から入射された光を内部で伝搬する間に液晶パネル側に出射させる構造を有する導光板とを備えたものが一般的である。
そして、この種の液晶表示装置においては、表示輝度を高めるために、断面形状がほぼ三角形状でその稜線がほぼ平行となるように並び形成された多数の線状凸部を有する透明板を用いる技術が知られている。更に、当該技術においては、透明板に形成された線状凸部の稜線を斜めに配置することにより、液晶表示板の表面における縞模様（モアレ縞）の発生を防止することが可能となる（例えば、特許文献１参照。）。
【特許文献１】特許第３１７５１０３号
【発明の開示】
【発明が解決しようとする課題】
【０００３】
しかしながら、上記特許文献においては、導光板の光学パターンがドットパターンで、レンズシートを２枚以上使用する場合は問題ないが、プリズムパターンの導光板を１枚で使用する場合、バックライトの表面輝度が低下する問題がある。また、同じ光でも当たるプリズム面によっては出射角度が変わってしまい、バックライト光を効率的に取り出すことが難しいという問題があった。
本発明は、上記課題を解決するためになされたものであり、輝度低下を抑制し、バックライト光の出射効率を向上させることができる電気光学装置、照明装置、及び電子機器を提供することを目的としている。
【課題を解決するための手段】
【０００４】
更に、本発明者は、液晶表示装置において、上記の輝度低下や照明光の出射効率の低下が生じるだけでなく、画素ピッチとプリズムシートのピッチが少しでもずれてしまうと、表示画像にモアレ縞が生じてしまうことを見出した。
そこで、本発明者は、上記に基づいて以下の手段を有する本発明を想到した。
【０００５】
即ち、本発明の電気光学装置は、第１基板及び第２基板の間に挟持された電気光学物質と、前記第１基板及び前記第２基板の外側に各々配設された第１偏光板及び第２偏光板とを有し、複数の画素を備える電気光学パネルと、導光板及び光源を備えて前記電気光学パネルに対して照明光を照射する照明装置と、を備えた電気光学装置であって、前記導光板は、前記照明光が入射する光入射面、又は当該光入射面の反対側の面に、複数配列して形成された直線状の突条を有し、前記照明装置と前記電気光学パネルとの間に、断面三角形状かつ直線状の複数の突条が配列形成されたプリズム面を有するプリズムシートが、前記プリズム面を前記電気光学パネルと反対向きにして配置され、前記導光板における複数の突条の稜線、及び、前記プリズムシートにおける複数の突条の稜線は、平行に配置され、前記導光板及び前記プリズムシートにおける前記突条の稜線と、前記電気光学パネルの前記画素の配列方向は、１°以上の角度で交差していること、を特徴としている。
また、前記導光板及び前記プリズムシートにおける前記突条の稜線と、前記電気光学パネルの前記画素の配列方向は、２〜１０°の角度で交差していること、が好ましい。
【０００６】
ここで、電気光学物質、電気光学パネル、又は電気光学装置とは、電界により物質の屈折率が変化して光の透過率を変化させる電気光学効果を有するものの他、電気エネルギーを光学エネルギーに変換するもの等も含んで総称している。従って、例えば液晶装置や有機ＥＬ（Electro-Luminescence）装置、無機ＥＬ装置に代表される発光装置等を含む概念である。
また、第１基板及び第２基板において、電気光学物質が挟持されている側を内側とし、電気光学物質が配置されていない側を外側としている。
【０００７】
このように、導光板における複数の突条の稜線、及び、プリズムシートにおける複数の突条の稜線が、平行に配置されているので、導光板から出射する高指向性の光をプリズムシートの突条に向けて照射することが可能となる。更に、プリズムシートから電気光学パネルに向けて照射される照明光の輝度低下が抑制され、照明光の出射効率を向上させることができる。
【０００８】
また、導光板及びプリズムシートにおける突条の稜線と、電気光学パネルの画素の配列方向とを１°以上の角度で、更に好ましくは２〜１０°の角度で交差させているので、画素ピッチとプリズムシートのピッチがずれることで生じるモアレ縞を確実に防止できる。
従って、本発明によれば、モアレ縞の防止と照明光の輝度向上とを共に実現することができる。
【０００９】
また、本発明の電気光学装置においては、前記電気光学パネルと前記プリズムシートとの間に拡散シートが設けられていること、を特徴としている。
ここで、導光板及びプリズムシートを通過した光は、指向性を有しているため、電気光学パネルの表示画像としては視野角が狭くなる傾向がある。そこで、本発明のように拡散シートを設けたことによって、表示画像の視野角を広げることができる。更に、表示画像のギラツキ感が抑制されるので、表示画像の見栄えを向上させることができる。
また、上記のように、導光板及びプリズムシートにおける突条の稜線と、画素の配列方向を、１°以上の角度で交差させているため、これに起因して表示画像の見栄えが低下してしまう傾向があるが、拡散シートを設けたことによって、表示画像の見栄えを向上させることができる。
【００１０】
また、本発明の電気光学装置においては、前記電気光学パネルと前記プリズムシートとの間に反射偏光子が設けられていること、を特徴としている。
ここで、反射偏光子は、照明装置の照明光を透過、或いは、反射させる機能を有する。そして、反射偏光子に照射された光のうち、一部の光は反射偏光子を透過して電気光学パネルを照射する。また、反射偏光子によって反射した照明光は、照明装置に戻り、再度反射偏光子に向けて出射して再利用される。この再利用される光の大部分は反射偏光子により再び反射されるが、このような反射を繰り返すうちに偏光状態が変化するため、一部は反射偏光子を透過して表示光となり、結果として表示光の光量を増加させることが可能となる。従って、輝度向上を図ることができる。
【００１１】
また、本発明の電気光学装置においては、前記電気光学パネルと前記反射偏光子との間に光散乱樹脂層が設けられていること、を特徴としている。
ここで、光散乱樹脂層は、電気光学パネルと反射偏光子とを接着させる接着剤として機能する層膜である。
【００１２】
本発明によれば、電気光学パネルと反射偏光子との間に光散乱樹脂層が設けられているので、電気光学パネルと反射偏光子との間の凹凸面を埋設しながら接着することが可能となる。凹凸面が残留している場合においては、表示画像がギラツキ感を有するが、光散乱樹脂層を設けたことにより、凹凸面が埋設され、ギラツキ感が抑制された表示画像を実現できる。
また、導光板及びプリズムシートを通過した光は、指向性を有しているため、電気光学パネルの表示画像としては視野角が狭くなる傾向があるが、光散乱樹脂層を設けたことによって、表示画像の視野角を広げることができる。
また、上記のように、導光板及びプリズムシートにおける突条の稜線と、画素の配列方向を、１°以上の角度で交差させているため、これに起因して表示画像の見栄えが低下してしまう傾向があるが、光散乱樹脂層を設けたことによって、表示画像の見栄えを向上させることができる。
【００１３】
また、本発明の照明装置は、導光板及び光源を備えて電気光学パネルに対して照明光を照射する照明装置であって、前記導光板は、前記照明光が入射する光入射面、又は当該光入射面の反対側の面に、複数配列して形成された直線状の突条を有し、前記導光板と前記電気光学パネルとの間に、断面三角形状かつ直線状の複数の突条が配列形成されたプリズム面を有するプリズムシートが、前記プリズム面を前記電気光学パネルと反対向きにして配置され、前記導光板における複数の突条の稜線、及び、前記プリズムシートにおける複数の突条の稜線は、平行に配置され、前記導光板及び前記プリズムシートにおける前記突条の稜線と、前記電気光学パネルの前記画素の配列方向は、１°以上の角度で交差していること、を特徴としている。
【００１４】
このように、導光板における複数の突条の稜線、及び、プリズムシートにおける複数の突条の稜線が平行に配置されているので、導光板から出射させる高指向性の光をプリズムシートの突条に向けて照射することが可能となり、プリズムシートから電気光学パネルに向けて照射される照明光の輝度低下を抑制し、照明光の出射効率を向上させることができる。
また、導光板及びプリズムシートにおける突条の稜線と、電気光学パネルの画素の配列方向とを１°以上の角度で交差させているので、画素ピッチとプリズムシートのピッチがずれることで生じるモアレ縞を防止できる。
従って、本発明によれば、モアレ縞の防止と照明光の輝度向上とを共に実現することができる。
【００１５】
また、本発明の電子機器は、先に記載の電気光学装置を備えたこと、を特徴としている。このようにすれば、ギラツキ感の抑制、高輝度、及びモアレ縞の防止が実現された表示部を備える電子機器となる。
【発明を実施するための最良の形態】
【００１６】
以下、図面を参照しながら本発明の実施形態について説明する。
なお、以下の全ての図面においては、各層や各部材を図面上で認識可能な程度の大きさとするため、各層や各部材毎に縮尺を異ならせてある。
【００１７】
（液晶表示装置の第１実施形態）
まず、本発明の電気光学装置の第１実施形態について説明する。
図１は、本発明の電気光学装置に係る液晶表示装置の断面構成図である。この図に示す液晶表示装置（電気光学装置）１０は、半透過反射型の液晶パネル（電気光学パネル）１１、プリズムシート３２、及びバックライト（照明装置）３０を備えて構成されている。
【００１８】
液晶パネル１０は、互いに対向して配置されたアレイ基板１３と、対向基板１４との間に、ＴＮ（Twisted Nematic）液晶からなる液晶層（電気光学物質）１５を挟持するとともに平面視略額縁状のシール材１２により封止して構成されたアクティブマトリクス型の液晶パネルである。
アレイ基板１３は、ガラス等からなる透明の下基板（第２基板）１６を備えており、その液晶層１５側に、平面視マトリクス状に複数の画素２１が配列形成されており、各画素２１は、透明導電材料からなる画素電極２２と、この画素電極２２に接続され画素電極２２をスイッチングするためのＴＦＴ（Thin Film Transistor）素子２３とを有している。また、図示は省略したが、上記画素２１上には配向膜が形成されている。
また、下基板１６の外面側（液晶層１５と反対側）には、下偏光板（第２偏光板）２４及び拡散シート２５がアレイ基板１３側から順に積層されている。ここで、拡散シート２５は、液晶パネル１０に入射する指向性の高い光を拡散させて、液晶パネル１０の表示画像を広視野角にするものである。
【００１９】
対向基板１４は、ガラス等からなる透明の上基板（第１基板）１７を備えており、その液晶層１５側に、ベタ状に成膜された透明導電材料からなる対向電極１８と、この対向電極１８を覆うように形成された配向膜１９とを有している。また、上基板１７の外面側には、上偏光板（第１偏光板）２０が設けられている。また、上偏光板２０と下偏光板２４とは、各々の透過軸が互いに直交するように配置されている。
【００２０】
バックライト３０は、平板状の透明の導光板３３と、この導光板３３の一側端面（図示では左側端面）に配設された冷陰極管やＬＥＤ（Light Emitting Diode）等の発光素子を有する光源３５と、導光板３３の背面側（液晶パネル１１と反対側）に設けられた反射板３４とを備えて構成されている。
【００２１】
ここで、図２を参照して、導光板３３とプリズムシート３２について詳述する。
図２は、導光板３３及びプリズムシート３２の拡大断面図であって、両者の構成及び光路を説明するための図である。
図２に示すように、導光板３３は、アクリル樹脂等の透明樹脂材料からなる平板状の部材であり、液晶パネル１１やプリズムシート３２に対して照明光を入射させる光入射面３３ｃの反対側の面に、複数配列してなる直線状の突条３３ａと、当該複数の突条３３ａに応じた複数の傾斜面３３ｂとが形成されている。換言すれば、導光板３３と反射板３４とが対向する側の面に、突条３３ａ及び傾斜面３３ｂが形成されている。
【００２２】
また、突条３３ａは、紙面垂直方向に延在している。これにより、光源３５が発光することにより、発光光Ｌａは導光板３３内において、傾斜面３３ｂと光入射面３３ｃとの間で反射しながら、徐々に発光光Ｌａの向きが変化して導光板３３の延在方向に向けて進行する。そして、発光光Ｌａは臨界角を超えたところで、導光板３３から角度の浅い導光光Ｌｂとして出射し、当該導光光Ｌｂは、プリズムシート３２に入射する。これにより、導光板３３は、高い指向性を有する導光光Ｌｂをプリズムシート３２に入射させる高指向性導光板として機能することとなる。
【００２３】
一方、プリズムシート３２は、アクリル樹脂等の透明樹脂材料からなる平板状の部材であり、その一面側が断面視三角形状で紙面垂直方向に延在する複数の突条３２ａが形成されたプリズム面３２ｂを有している。当該プリズム面３２ｂは液晶パネル１１と反対向きにして配置されている。換言すれば、プリズム面３２ｂは導光板３３に向けて配置されている。また、プリズムシート３２は、その突条３２ａの延在方向（稜線）が、導光板３３の突条３３ａの延在方向（稜線）と平行となるように配置されている。また、複数の突条３２ａは、互いに平行に連続して配列形成され、当該複数の突条３２ａの頂角αは、全ての突条３２ａで共通とされている。また、頂角αは６３°〜６８°の範囲に設定されている。
なお、本実施形態ではプリズム面３２ｂの形状として断面三角形状の頂部が尖ったものを例示しているが、突条３２ａの頂部が丸みを帯びている形状ものも問題なく用いることができる。
【００２４】
このようなプリズムシート３２においては、導光板３３から出射された指向性を有する導光光Ｌｂがプリズム面３２ｂから入射すると、突条３２ａ内を通じて、反対側のプリズム面３２ｂに反射し、プリズムシート３２の上面３２ｃから照明光Ｌｃとして液晶パネル１１に入射される。
このような照明光Ｌｃは、高指向性の導光光Ｌｂがプリズムシート３２を経た光であり、光源３５の光量と比べるとロスが少ない光となる。従って、プリズムシート３２による照明光の制御効果を高めることが可能となる。
【００２５】
また、プリズムシート３２のプリズム面３２ｂは、導光板３３と対向する向きに配置されているので、液晶表示装置１０に入射して液晶パネル１１を透過した外光をプリズムシート３２の内面側で反射させ、外光入射時の表示光として利用できるようになっている。従って、図１に示す向きに配置されたプリズムシート３２により入射光をＯｆｆ−ａｘｉｓ反射させることができ、反射表示の際に効率的に外光を利用することが可能となる。即ち、上記プリズムシート３２により反射された光には、正反射光の他に、正反射方向からずれた方向に出射される成分が含まれており、本実施形態の液晶表示装置１０では、この成分の光が正反射光よりもプリズムシート１１の法線方向側（液晶パネル１１の正面方向）にずれた方向へ出射されるようにすることで、導光板３３の光を利用した透過表示とほぼ同一方向の表示光として外光の反射光を利用するようになっている。
【００２６】
次に、図３を参照して、突条３３ａ，３２ａの稜線と画素２１の配列方向について詳述する。図３は、液晶表示装置１０の部分平面図であって、導光板３３及びプリズムシート３２における突条３３ａ，３２ａの稜線と、液晶パネル１０における画素２１の配列方向との関係を説明するための図である。
【００２７】
図３において、符号２１ａは、液晶パネル１０における複数の画素２１が配列する方向（紙面左右方向）を意味している。また、符号４０は、導光板３３及びプリズムシート３２における突条３３ａ，３２ａの稜線の延在方向を意味している。また、配列方向２１ａと稜線延在方向４０とがなすバイアス角度をθとしている。また、符号３５ａは、光源３５が導光板３３の一側端面に入射する発光光の方向を意味している。そして、本実施形態においては、バイアス角度（交差角）θを２〜１０°の範囲内に設定している。
また、図３においては、画素２１の配列方向２１ａと直交する方向から光源光３５ａが入射している。従って、バイアス角度θが２〜１０°の範囲で設定されていることにより、光源光３５ａが稜線延在方向４０に入射する角度は、９０〜９８°の範囲となる。
【００２８】
上述したように、本実施形態の液晶表示装置１０においては、導光板３３の突条３３ａの稜線、及び、プリズムシート３２の突条３２ａの稜線が平行に配置されているので、導光板３３から出射させる高指向性の光をプリズムシート３２の突条３２ａに向けて照射することができ、プリズムシート３２から液晶パネル１１に向けて照射される照明光の輝度低下を抑制し、照明光の出射効率を向上させることができる。
また、稜線延在方向４０と、画素２１の配列方向２１ａとを２〜１０°の角度で交差させているので、画素ピッチとプリズムシートのピッチがずれることで生じるモアレ縞を確実に防止できる。従って、モアレ縞の防止と照明光の輝度向上とを共に実現することができる。
【００２９】
また、本実施形態においては、拡散シート２５が設けられているので、液晶パネル１１の表示画像の視野角を広げることができる。更に、表示画像のギラツキ感が抑制されるので、表示画像の見栄えを向上させることができる。
また、上記のように、導光板３３及びプリズムシート３２における突条３３ａ，３２ａの稜線と、画素２１の配列方向２１ａを、１°以上の角度で交差させているため、これに起因して表示画像の見栄えが低下してしまう傾向があるが、拡散シート２５を設けたことによって、表示画像の見栄えを向上させることができる。
【００３０】
なお、本実施形態においては、導光板３３は、光入射面３３ｃの反対側の面に、複数配列してなる直線状の突条３３ａと、当該複数の突条３３ａに応じた複数の傾斜面３３ｂとが形成されたものである。
本発明においては、導光板３３の光入射面３３ｃに複数配列してなる直線状の突条３３ａと、当該複数の突条３３ａに応じた複数の傾斜面３３ｂとが形成されていてもよい。これにより、光源３５が発光することにより、発光光Ｌａは導光板３３内において、傾斜面３３ｂと光入射面３３ｃとの間で反射しながら、徐々に発光光Ｌａの向きが変化して導光板３３の延在方向に向けて進行する。そして、発光光Ｌａは臨界角を超えたところで、導光板３３から角度の浅い導光光Ｌｂとして出射し、当該導光光Ｌｂは、プリズムシート３２に入射する。これにより、導光板３３は、高い指向性を有する導光光Ｌｂをプリズムシート３２に入射させる高指向性導光板として機能することとなる。
従って、上記の第１実施形態と同様の効果が得られる。
【００３１】
（液晶表示装置の第２実施形態）
次に、本発明の電気光学装置の第２実施形態について説明する。
図４は、本発明の電気光学装置に係る液晶表示装置の断面構成図である。
本実施形態においては、既述の第１実施形態と異なる構成についてのみ説明し、同一構成には同一符号を付して説明を省略している。
【００３２】
本実施形態の液晶表示装置（電気光学装置）１０’は、下基板１６の外面側（液晶層１５と反対側）に、下偏光板２４、光散乱層（光散乱樹脂層）２７、及び反射偏光板（反射偏光子）２６とがアレイ基板１３側から順に積層されている。
ここで、反射偏光板２６は、バックライト３０の照明光を透過、或いは、反射させる機能を有する。
具体的に説明すると、プリズムシート３２の上面３２ｃから反射偏光板２６へ入射する照明光は、その一部が反射偏光板２６を透過して液晶パネル１１に入射し、表示光として利用される。また、反射偏光板２６で反射された成分は、バックライト３０に入射して再度バックライト３０のプリズムシート３２や反射板３４により反射されて液晶パネル１１に入射して再利用される。この再利用される光の大部分は反射偏光板２６により再び反射されるが、このような反射を繰り返すうちに偏光状態が変化するため、一部は反射偏光板２６を透過され、表示光として利用されるので、結果として表示光の光量を増加させることが可能となる。
【００３３】
また、光散乱層２５は、液晶パネル１０に入射する指向性の高い光を拡散させて、液晶パネル１０の表示画像を広視野角にするものである。また、光散乱層２５は、例えば光拡散性を有する粘着材であって、これにより下偏光板２４と反射偏光板２６とを接着する接着剤となる。また、接着剤となる光散乱層２５は、下偏光板２４と反射偏光板２６との間の凹凸面を埋設しながら接着する。
【００３４】
上述したように、本実施形態の液晶表示装置１０’においては、反射偏光板２６を備えるので、照明光の再利用を行うことができ、液晶表示装置１０’の輝度向上を図ることができる。
また、下偏光板２４と反射偏光板２６との間の凹凸面が残留している場合においては、表示画像がギラツキ感を有するが、光散乱層２７を設けたことで凹凸面が埋設され、ギラツキ感が抑制された表示画像を実現できる。
また、導光板３３及びプリズムシート３２を通過した光は、指向性を有しているため、液晶パネル１１の表示画像としては視野角が狭くなる傾向があるが、光散乱層２７を設けたことによって、表示画像の視野角を広げることができる。
また、上記のように、導光板３３及びプリズムシート３２における突条３３ａ，３２ａの稜線と、画素２１の配列方向２１ａを、１°以上の角度で交差させているため、これに起因して表示画像の見栄えが低下してしまう傾向があるが、光散乱層２７を設けたことによって、表示画像の見栄えを向上させることができる。
【００３５】
なお、既述の実施形態における液晶表示装置１０，１０’としては、半透過反射型の液晶表示装置を示したが、本発明はこれに限定すること無く、透過型の液晶表示装置においても適用可能である。
また、液晶表示装置１０，１０’は、ＴＦＴを利用したアクティブマトリクス型であるが、これ以外にもＴＦＤ（Thin Film Transistor）を利用したアクティブマトリクス型においても適用可能である。
また、液晶表示装置１０，１０’において、液晶層１５はＴＮモードであったが、これ以外にも、ＳＴＮ（Super Twisted Nematic）モード、ＶＡ（Vertical Alignment）モード、或いは、ＩＰＳ（In Plane Switching）モード等の液晶層を採用することができる。また、ノーマリーブラックモードやノーマリーホワイトモードの液晶のいずれにおいても適用可能である。
【００３６】
（電子機器）
次に、上記実施形態の液晶装置を備えた電子機器の具体例について説明する。
図５は、携帯電話（電子機器）の一例を示した斜視図である。図５において、符号５００は携帯電話本体を示している。また、符号５０１は図１に示した液晶表示装置１０、又は、図４に示した液晶表示装置１０’を表示手段として備えた表示部を示している。
図５に示す電子機器は、上記実施形態の液晶装置１０が表示部に備えられたものであるので、ギラツキ感の抑制、高輝度、及びモアレ縞の防止が実現された表示部を備える電子機器となる。
【実施例】
【００３７】
以下、実施例により本発明の効果をより明らかなものとする。
図４は、図３におけるバイアス角度θと液晶表示装置１０の輝度比率の関係を説明するための図である。ここで、輝度比率とは、光源光３５ａの輝度に対して、プリズムシート３２から出射される照明光の輝度の割合を示す値である。従って、輝度比率が高い値を示す程に光源光３５ａの利用効率が高くなり、輝度比率が低い値を示す程に光源光３５ａの利用効率が低くなることを示している。
また、図４は、画面サイズが２．１インチで、解像度ＱＣＩＦの液晶表示装置１０についての実験結果を示している。
【００３８】
そして、本発明者によれば、図４に示すようにバイアス角度が大きくなるに連れて輝度比率が低下することが確認された。また、バイアス角度が０°である場合には、表示画像にモアレ縞が生じてしまうことが確認された。更に、バイアス角度が２〜１０°の範囲内においては、約０．９〜１．０の輝度比率を実現することができると共に、表示画像にモアレ縞が生じないことが確認された。
従って、本実施例で明らかになったように、バイアス角度を２〜１０°の範囲内にすることによって、液晶表示装置におけるモアレ縞の防止と照明光の輝度向上とを共に実現することができる。
【図面の簡単な説明】
【００３９】
【図１】本発明の電気光学装置に係る液晶表示装置の第１実施形態を示す断面構成図。
【図２】図１に示す液晶表示装置の導光板及びプリズムシートの拡大断面図。
【図３】図１に示す液晶表示装置における突条稜線と画素配列方向の関係を示す図。
【図４】本発明の電気光学装置に係る液晶表示装置の第２実施形態を示す断面構成図。
【図５】本発明の電子機器に係る携帯電話を示す斜視図。
【図６】本発明の実施例におけるバイアス角度と輝度比率の測定結果を示す図。
【符号の説明】
【００４０】
１０，１０’  液晶表示装置（電気光学装置）、  １１  液晶パネル（電気光学パネル）、  １５  液晶層（電気光学物質）、  １６  下基板（第２基板）、  １７  上基板（第１基板）、  ２０  上偏光板（第１偏光板）、  ２１  画素、  ２４  下偏光板（第２偏光板）、  ２５  拡散シート、  ２６  反射偏光板（反射偏光子）、  ２７  光散乱層（光散乱樹脂層）、  ３０  バックライト（照明装置）、  ３２  プリズムシート、  ３２ａ  突条（プリズムシートの突条）、  ３２ｂ  プリズム面、  ３３  導光板、  ３３ａ  突条（導光板の突条）、  ３５  光源、  ５００  携帯電話（電子機器）、  Ｌｃ  照明光。
【図１】
2006276621.tif 000003
【図２】
2006276621.tif 000004
【図３】
2006276621.tif 000005
【図４】
2006276621.tif 000006
【図５】
2006276621.tif 000007
【図６】
2006276621.tif 000008